(57)【要約】【課題】  亜硫酸ガスの発生量が少なく、硫酸ピッチを安全に、また簡易且つ簡便に無害化することができる硫酸ピッチの処理方法を提供すること。【解決手段】  硫酸ピッチを、水を添加することなく攪拌混合してスラリー状にする攪拌工程、得られたスラリー状の硫酸ピッチに水を添加することなく中和剤を添加して中和を行う中和工程、及び中和工程により得られる中和処理物を加熱して乾燥させる乾燥工程を具備することを特徴とする硫酸ピッチの処理方法。【選択図】図１
2010259965.tif 000002
【特許請求の範囲】
【請求項１】
硫酸ピッチを、水を添加することなく攪拌混合してスラリー状にする攪拌工程、
得られたスラリー状の硫酸ピッチに水を添加することなく中和剤を添加して中和を行う中和工程、及び
中和工程により得られる中和処理物を加熱して乾燥させる乾燥工程
を具備することを特徴とする硫酸ピッチの処理方法。
【請求項２】
上記攪拌工程において用いられる硫酸ピッチは固形分が１０〜５０重量％であり、該攪拌工程は、硫酸ピッチの収容容器の直径の１／５〜１／２の長さを有する攪拌羽根を用い、攪拌速度を５〜４０ｒｐｍとして行うことを特徴とする請求項1記載の硫酸ピッチの処理方法。
【請求項３】
上記中和剤が、石灰とセメント材料とを、石灰１００重量部に対してセメント材料５０〜８０重量部の配合割合で含んでなることを特徴とする請求項1記載の硫酸ピッチの処理方法。
【請求項４】
上記石灰が生石灰であることを特徴とする請求項１記載の硫酸ピッチの処理方法。
【請求項５】
上記中和工程は、スラリー状の硫酸ピッチを攪拌・混合しつつ、徐々に上記中和剤を混入することによって行うことを特徴とする請求項1記載の硫酸ピッチの処理方法。
【請求項６】
上記中和工程で中和反応に伴い発生する酸性ガスを中和処理するガス処理工程を具備することを特徴とする請求項１記載の硫酸ピッチの処理方法。
【請求項７】
上記乾燥工程で加熱に伴い発生する酸性ガスを中和処理するガス処理工程を具備することを特徴とする請求項１記載の硫酸ピッチの処理方法。
【請求項８】
請求項１記載の硫酸ピッチの処理方法を実施するための硫酸ピッチの処理装置であって、
硫酸ピッチを攪拌する攪拌装置と、
攪拌装置で攪拌・分散されたスラリー状の硫酸ピッチを中和処理する中和処理槽と、
該中和処理槽で中和処理された中和処理物を加熱して乾燥させる乾燥槽と、を具備し、
上記攪拌装置は、硫酸ピッチの収容容器の直径の１／５〜１／２の長さを有する攪拌羽根を攪拌手段として備え、
上記中和処理槽は、攪拌・分散されたスラリー状の硫酸ピッチを投入する投入口と、中和処理された中和処理物を排出する排出口と、上面の中央部分に設けられた、中和反応により生じる酸性ガスを吸引して槽内から除去するための中和処理槽ガス吸引口とを有し、
上記乾燥槽は、中和処理物を投入する投入口と、乾燥された乾燥処理物を排出する排出口と、上面の中央部分に設けられた、乾燥処理により発生する酸性ガスを吸引して槽内から除去するための乾燥槽ガス吸引口を有することを特徴とする硫酸ピッチの処理装置。
【発明の詳細な説明】
【技術分野】
【０００１】
本発明は、亜硫酸ガスの発生量が少なく、硫酸ピッチを簡易且つ簡便に無害化することができる硫酸ピッチの処理方法及び処理装置に関するものである。
【背景技術】
【０００２】
硫酸ピッチは、石油精製で生じた硫酸処理、硫酸洗浄から排出される廃油と廃酸の混合物である廃酸スラッジであり、硫黄分、油分、アスファルト質、未反応の硫酸、芳香族炭化水素類や重金属等の有害な化学物質を含むタール状物である。また、二酸化硫黄等の酸性ガスを発生する高粘性の物質であり、放置しておくと油分等の揮発によって粘性が増し硬化する物質である。
【０００３】
硫酸ピッチは、放置すると酸性ガスを発するためそのまま長期間放置することができず、また単に廃棄処理を行うと多量の酸性ガスを発生して周辺環境に悪影響を与えるため、無害化処理することが求められている。
このため硫酸ピッチを処理する方法は、種々提案されている。
たとえば、特許文献１には、硫酸ピッチに無機セメント系固化処理材と水を加えて混合し、無機セメント系固化処理材に含まれる界面活性剤で硫酸ピッチに含まれる油を分散，乳化させ、その後、この混合体に石灰系の中和剤を加え混合して中和してから加熱，脱水して団粒化する処理方法が提案されている。
特許文献２には、石油精製で生じた硫酸ピッチに、セメント系廃材またはＡＬＣ廃材または石膏ボ−ド廃材および循環させた粉粒体の少なくとも一部と水を加え混合して形成した均一な混合体に、適宜中和剤と表面活性剤を加えて混合した後に、加熱、脱水して粉粒体を得、その得られた粉粒体の少なくとも一部を、最初の工程に循環させる処理方法が提案されている。
特許文献３には、粉体状の塩基性廃棄物と、液体状の酸性廃棄物をそれぞれ適宜適量ずつ取り出して中和造粒槽内に投入し、それらの投入物を混練・攪拌して中和しつつ造粒し、さらにこの際の化学反応に伴って発生したガスを処理して無害化し、造粒された造粒物を加熱して、不要成分を気化させて分離する処理方法が提案されている。
【０００４】
特許文献４には、塊状またはタール状の硫酸ピッチにアルカリ性中和剤として水酸化ナトリウムまたは水酸化カリウムの水溶液を添加し、混合攪拌して発生する熱を利用して溶解し中和処理すると共に、中和処理後に発生する汚泥は、人工ゼオライトと、都市ゴミ焼却灰Ｒ、赤土、石灰（生石灰、消石灰）、粗成セメントの少なくとも一つを加えて攪拌処理することによって無害化処理する処理方法が提案されている。また、硫酸ピッチＰを１〜２重量に対し、人工ゼオライトが１〜４重量、都市ゴミ焼却灰Ｒ、赤土、石灰（生石灰、消石灰）、粗成セメントの少なくとも一つを０．５〜４重量加えることも開示されている。
特許文献５には、硫酸ピッチを破砕して細粒化した後、中和処理し、処理時に発生する二酸化硫黄を含むガスは、吸収処理され、ついで、プラズマ分解処理される処理方法が提案されている。また、二酸化硫黄を含む有害ガスの発生を抑制するためには水を添加しないほうが好ましいことも記載されている。
【先行技術文献】
【特許文献】
【０００５】
【特許文献１】特開平６−１６５９９９号公報
【特許文献２】特許第３９７３６６４号公報
【特許文献３】特開２００５−１６１２６１号公報
【特許文献４】特開２００７−１３６２７０号公報
【特許文献５】特開２００７−１９０５４４号公報
【発明の概要】
【発明が解決しようとする課題】
【０００６】
しかし、上述の特許文献１〜４に記載の処理方法では、亜硫酸ガス等の酸性ガスの発生量が多く、硫酸ピッチを安全に、簡易且つ簡便に処理することはできなかった。特許文献５に記載の処理方法は、粒径２０ｍｍ以上の大きさを有する固体粒状の硫酸ピッチをナトリウム塩やカルシウム塩などの固体状の中和剤と接触させて反応させるものであるが、十分に硫酸ピッチを無害化することができないという問題がある。また、そもそも完全に固化した硫酸ピッチは、長期間開封した状態で放置されたものであり、硫酸がほぼ揮発してしまっており、中和処理を行う必要もない場合がある。
要するに、従来提案されている処理方法では、亜硫酸ガス等の酸性ガスの発生量が多くて処理を安全に行うことができないか、処理を安全に行うことができても無害化が不十分となり、安全、簡易且つ簡便な処理と十分な無害化との両立ができていないのが現状である。
【０００７】
従って、本発明の目的は、亜硫酸ガスの発生量が少なく、硫酸ピッチを安全に、また簡易且つ簡便に無害化することができる硫酸ピッチの処理方法、及び該処理方法を簡易且つ簡便に行うことができる処理装置を提供することにある。
【課題を解決するための手段】
【０００８】
本発明者らは上記課題を解消すべく鋭意検討した結果、硫酸ピッチを中和剤と混合しやすくするため且つ中和剤として用いられるセメントと反応させるために添加されていた水が、亜硫酸ガスの発生を助長・促進することを知見した。更に検討した結果、硫酸ピッチをスラリー状になるまで十分に攪拌すれば水を加えなくてもセメントと反応して固化することを知見し、本発明を完成するに至った。なお、本発明においてスラリー状とは細かい固形物が液体中に懸濁された懸濁液を意味する。
すなわち、本発明は、硫酸ピッチを、水を添加することなく攪拌混合してスラリー状にする攪拌工程、得られたスラリー状の硫酸ピッチに水を添加することなく中和剤を添加して中和を行う中和工程、及び中和工程により得られる中和処理物を加熱して乾燥させる乾燥工程を具備することを特徴とする硫酸ピッチの処理方法を提供することにより上記目的を達成したものである。
【０００９】
硫酸ピッチは、石油精製において発生した直後は液体状であるが、通常は生成後直ちに処理することはできず、ドラム缶などの容器で数日以上の期間保存した後処理される。このように保存された硫酸ピッチは、通常少なくとも一部は固化している。
本発明において被処理物として用いられる上記硫酸ピッチは、硫黄分、油分、アスファルト質、未反応の硫酸、芳香族炭化水素類や重金属等の有害な化学物質を有するものであり、油分が全体の５〜１０重量％、アスファルト質が全体の２５〜４５重量％、未反応の硫酸を含む硫酸イオンが全体の２５〜４５重量％であり、これらの他に芳香族炭化水素類や重金属等の有害な化学物質等種々の物質を含み得るものである。またその固形分は、好ましくは１０〜５０重量％である。この範囲内とすることにより十分なスラリー化が可能となり、酸性ガスの発生を抑制しつつ中和反応を十分に行うことができる。ここで固形分とは、全体のうち濾別した際に固体として回収される分の割合である。
【００１０】
上記攪拌工程は、上記攪拌工程は、硫酸ピッチの収容容器の直径の１／５〜１／２の長さを有する攪拌羽根を用い、攪拌速度を５〜４０ｒｐｍとして行うのが好ましく、５〜３０ｒｐｍとして行うのが更に好ましい。これにより、固化した硫酸ピッチも効率よく、中和処理に適したスラリー状にすることができる。
上記中和剤としては、石灰とセメント材料とを石灰１００重量部に対してセメント材料５０〜８０重量部の配合割合で含んでなるものを好ましく用いることができる。上記範囲外である場合には、中和処理が十分でなくなり、十分な無害化ができなくなる場合がある。
上記石灰としては、消石灰、生石灰等を挙げることができるが、特に生石灰が好ましく用いられる。
またセメント材料としては、ポルトランドセメント等を用いることができる。
また、上記中和剤には、上述の石灰及びセメント材料以外にも必要に応じて適当な成分を適宜配合することができる。
中和剤の使用量は特に制限されるものではないが、硫酸ピッチ１００重量部に対して６０〜３００重量部とするのが好ましく、８０〜１８０重量部とするのが更に好ましい。
上記中和工程は、上記分散物を攪拌・混合しつつ、徐々に上記中和剤を混入することによって行うのが好ましい。これにより、酸性ガスの発生を最低限度に抑制して中和処理を行うことができる。
また、本発明の処理方法は、上記中和工程で中和反応に伴い発生する酸性ガスを中和処理するガス処理工程を具備するのが酸性ガスの排出をなくすことができるので好ましく、上記乾燥工程で加熱に伴い発生する酸性ガスを中和処理するガス処理工程を具備するのが酸性ガスの排出をなくすことができるので好ましい。
また、本発明は、上記の硫酸ピッチの処理方法を実施するための硫酸ピッチの処理装置であって、硫酸ピッチを攪拌する攪拌装置と、攪拌装置で攪拌・分散されたスラリー状の硫酸ピッチを中和処理する中和処理槽と、該中和処理槽で中和処理された中和処理物を加熱して乾燥させる乾燥槽と、を具備し、
上記攪拌装置は、上記攪拌装置は、硫酸ピッチの収容容器の直径の１／５〜１／２の長さを有する攪拌羽根を攪拌手段として備え、
上記中和処理槽は、攪拌・分散されたスラリー状の硫酸ピッチを投入する投入口と、中和処理された中和処理物を排出する排出口と、上面の中央部分に設けられた、中和反応により生じる酸性ガスを吸引して槽内から除去するための中和処理槽ガス吸引口とを有し、
上記乾燥槽は、中和処理物を投入する投入口と、乾燥された乾燥処理物を排出する排出口と、上面の中央部分に設けられた、乾燥処理により発生する酸性ガスを吸引して槽内から除去するための乾燥槽ガス吸引口を有することを特徴とする硫酸ピッチの処理装置を提供するものである。
【発明の効果】
【００１１】
本発明の硫酸ピッチの処理方法によれば、亜硫酸ガスの発生量が少なく、硫酸ピッチを安全に、また簡易且つ簡便に無害化することができる。
また、本発明の処理装置は、本発明の硫酸ピッチの処理方法を簡易且つ簡便に行うことができるものである。
【図面の簡単な説明】
【００１２】
【図１】図１は、本発明の処理方法を実施するための処理装置の全体を模式的に示す概要図である。
【図２】図２は、図１に示す実施形態の攪拌装置を示す側面図である。
【図３】図３は、図１に示す実施形態の中和処理槽を示す側面図である。
【図４】図４は、図１に示す実施形態の中和処理物貯蔵槽を示す側面図である。
【図５】図５は、図１に示す実施形態の乾燥槽を示す側面図である。
【図６】図６は、図１に示す実施形態の第１及び第２のガス処理槽を示す透視側面図であり、（ａ）は第１のガス処理槽を、（ｂ）は第２のガス処理槽を示す。
【発明を実施するための形態】
【００１３】
以下、本発明の硫酸ピッチの処理方法及び処理装置について更に詳細に説明する。
まず、図面を参照して、本発明の処理方法を実施するための本発明の処理装置について説明する。
図１に示すように、本発明の処理装置１は、硫酸ピッチを攪拌する攪拌装置１０と、攪拌装置１０で攪拌・分散されたスラリー状の硫酸ピッチを中和処理する中和処理槽２０と、中和処理槽２０で中和処理された中和処理物を加熱して乾燥させる乾燥槽４０と、を具備する。
【００１４】
攪拌装置１０は、攪拌・分散処理中に発生する酸性ガスを処理するために、硫酸ピッチの収容容器やその周囲の空気を吸引するための排気ファン（図示せず）を有する配管２を介して第１のガス処理槽５０に連結されている。また、中和処理槽２０も槽内のガスを吸引する吸引装置（図３参照）が設けられた配管３を介して第１のガス処理槽５０に連結されている。中和処理槽２０と乾燥槽４０との間には中和処理物貯蔵槽３０が設けられており、中和処理槽２０で処理された中和処理物を乾燥槽４０が処理できる状態になるまで貯蔵できるように構成されている。中和処理物貯蔵槽３０は、槽内の空気を吸引するための排気ファン（図示せず）を有する配管４を介して第２のガス処理槽６０に連結されている。また、乾燥槽４０も槽内のガスを吸引する吸引手段（図３参照）が設けられた配管５を介して第２のガス処理槽６０に連結されている。また、本実施形態においては、中和処理槽２０から中和処理物貯蔵槽３０への中和処理物の移送手段として、ベルトコンベア６が設けられており、また、中和処理物貯蔵槽３０から乾燥槽４０への中和処理物の移送手段としても、ベルトコンベア７が設けられている。
第１のガス処理槽５０及び第２のガス処理槽６０で処理されたガスはセンサー（図示せず）によりｐＨを測定されて環境基準を満たすことを確認した後大気中に放出される。また、乾燥槽により乾燥処理された処理済の粒状物は、無害で且つ多孔性の粒子であり、適宜保存容器（図示せず）などに保存され、各種形成材の材料として用いられる。
【００１５】
更に、図２〜６を参照して詳細に説明する。
攪拌装置１０は、図２に示すように、床面ａに接触する基部１１、床面ａと垂直方向に設置された架台部分１２、架台部分１２の内部に設けられた上下動手段１３に連結された攪拌機保持部１４及び補強部材１５を具備する攪拌機支持架台１０ａと、先端部分に所定間隔を開けて設けられた２枚の攪拌羽根１６を有するシャフト１７が備えられた攪拌機１０ｂとからなる。上下動手段としては、レール、チェーン、油圧シャフトなどが用いられ、本実施形態においては油圧シャフトを用いている。そして、攪拌装置１０の使用時には、攪拌機１０ｂを上下動させて硫酸ピッチの収容容器であるドラム缶Ａの硫酸ピッチにおける所望の深さまで攪拌羽根１６を到達させて、攪拌羽根１６を回転させることにより、攪拌を行う。攪拌羽根１６の直径は、用いられるドラム缶Ａの直径に応じて任意であるが、ドラム缶Ａの直径（上面開口部の直径）の１／５〜１／２とするのが好ましい。
【００１６】
本発明の処理装置においては、図３に示すように、攪拌された硫酸ピッチを中和処理槽２０に投入する投入装置７０が設けられている。投入装置７０は硫酸ピッチの入ったドラム缶を載置する載置台７１と、載置台７１を上下動可能に支持する支持柱７２と、所定高さまでドラム缶が上昇した場合にドラム缶を傾けて硫酸ピッチを所定位置に投入するドラム缶傾斜部７３とからなる。ドラム缶傾斜部７３は、特に図示しないが、載置台に載せたドラム缶を油圧により上昇させて順次中和処理槽側に傾けることが出来るように構成されている。
【００１７】
中和処理槽２０は、図３に示すように、軸方向が長手方向となるように形成された筒状の反応容器２１からなり、攪拌・分散されたスラリー状の硫酸ピッチを投入する投入口２２と、中和処理された中和処理物を排出する排出口２３と、上面の中央部分に設けられた、中和反応により生じる酸性ガスを吸引して槽内から除去するための中和処理槽ガス吸引口２４とを有する。
投入口２２は反応容器２１の一端側上面に設けられており、ロート状の投入補助具２２ａが取り付けられている。投入補助具２２ａの上面開口には蓋体２２ｂが設けられて開閉自在になされている。
排出口２３は、反応容器２１の他端側の下面に設けられており、バルブ（図示せず）が設けられて通常は内容物が排出されないように閉じられているが、中和処理終了後には開放して中和処理物を取り出せるようになされている。排出口２３に対向する反応容器２１の上面位置には予備のガス放出口２５が設けられており、中和処理槽ガス吸引口２４のみで吸引しきれない場合にガスを第１のガス処理槽に放出できるように構成されている。
中和処理槽ガス吸引口２４は、反応容器の上面の中央部分に設けられている。ここで、「上面」とは、反応容器を設置した場合に、床面に対向する方向に位置する部分の面を意味し、本実施形態のように円筒状の反応容器の場合には、真上から反応容器を見た際に確認できる面を意味する。また、「中央部分」とは、反応容器の両端縁から反応容器の長さｔの１／４の長さの部分２０ａ，２０ｂの間に位置する反応容器の長さｔの半分の長さに相当する部分２０ｃを意味する。このような位置に中和処理槽ガス吸入口２４を設けることにより、処理槽内部のガスを効率よく吸引することができ、投入口２２などからのガスの漏れを防止することが可能となる。
中和処理槽ガス吸引口２４には、固形物をふるい落とすためのロータリーバルブ２６を介してサイクロン方式の吸引装置２７が連結されている。また吸引装置２７には配管（図示せず）が設けられており、第１のガス処理装置５０にガス誘引ブロワー（図示せず）を介して連結されている。
また、特に図示しないが、反応容器２１の内部には通常の押出成型機と同様のスクリュー型の攪拌羽根が設けられており、バルブを回付して中和処理物を取り出す際には、攪拌羽根を回転させることで自動的に中和処理物が排出されるようになされている。また、これにより、投入された硫酸ピッチを中和処理しつつ移送し、所定の中和処理が終了したものは順次排出口から排出できるようになされている。
【００１８】
中和処理物貯蔵槽３０は、図４に示すように、中空で円錐状の頂部３１と中空で円柱状の基部３２とからなり、頂部３１にベルトコンベアにより移送されてくる中和処理物を投入する投入口３３が設けられており、頂部３１の頂点部分には内部のガスを排出するガス排出口３４が設けられ、排気ファン(図示せず)が設けられた配管（図１参照）を介して第２のガス処理装置６０に連結されている。また、基部３２の底板部分には中和処理物排出用の排出口（図示せず）が設けられており、コンベア３５，７により乾燥層４０に移送されるようになっている。
本実施形態の処理装置においては、図５に示すように、投入口に定量的に中和処理物を供給するために定量供給フィーダー８０が設けられている。
【００１９】
乾燥槽４０は、図５に示すように、軸方向が長手方向となるように形成された筒状の乾燥容器４１と乾燥容器４１の外周面を覆って設けられた円筒状の加熱装置４２とからなり、乾燥容器４１は、中和処理物を投入する投入口４３と、乾燥された乾燥処理物を排出する排出口４４と、上面の中央部分に設けられた、乾燥処理により発生する酸性ガスを吸引して槽内から除去するための乾燥槽ガス吸引口４５を有する。ここで「上面」「中央部分」の意味は上記の中和処理槽の説明において説明したとおりである。投入口４３は乾燥容器の一端側上面に、排出口４４は他端側下面に設けられている。焼成処理が終了して得られる粒状物はベルトコンベア４６を介して保存容器４７に投入されるようになされている。乾燥槽ガス吸引口４５は、配管（図１参照）を介してサイクロン方式の吸引装置４８に直結されており、ガス冷却用のコンデンサー４９を介して第２のガス処理槽に連結されている。
特に図示しないが、乾燥容器４１内部には内容物を押出可能な回転羽根が設けられており、投入された中和処理物を加熱処理しつつ移送し、所定時間の乾燥処理が終了したものは順次排出口から排出できるようになされている。
加熱装置４２の加熱方法は、電気式、燃焼式など公知の種々方式を特に制限なく採用することができる。
【００２０】
第１のガス処理槽５０と第２のガス処理槽６０とは、同様に構成されているので、図６（ａ）を参照して第１のガス処理槽について説明する。第２のガス処理槽の構成部材については、第１のガス処理槽と同じ番号を示し、同じ部分については説明を割愛する。
第１のガス処理槽５０は、長方体形状の中空の箱型である本体５１と、その１端面に設けられた下面がスロープになっている固形分排出部５２と、本体５１の他端側上面に設けられた排気用ノズル５３とからなる。本体５１の一端側上面には攪拌装置からの配管が連結された第１吸入口５４と中和処理槽からの配管が連結された第２吸入口５５とが設けられている。
また、本体５１の内部上方には、アルカリ溶液を本体５１内部全域にわたって散布するアルカリ溶液シャワー部５６が設けられており、本体の下半分はアルカリ溶液Ｓが存在するようになされている。本体５１内部には、仕切り板５７が上下互い違いに複数配置されている。これにより酸性ガスを十分に中和処理できるようになされている。また、本体５１の下面側には、非処理ガスと共に吸入された粉体や中和反応により生成した固体分を回収するためのコンベア５８が設けられている。コンベア５８は固形分排出部５２まで配置されており、スロープの端部に位置するコンベア端部５８ａにおいて固形分排出部の下面に設けられた排出口５２ａから固形分を排出できるようになされている。
また、排気ノズル５３の先端部分にはガスのｐＨを測定する測定部５３ａが設けられており、排気ガスが環境基準を満足しない場合にはガスの吸入を停止するなどして排気を停止したり、アルカリ溶液の供給量を調節したりできるようになっている。
本体５１下部のアルカリ溶液Ｓは本体の外部に設けられたポンプ５９を介して上部のアルカリ溶液シャワー部５６に供給されるようになされており、また、適宜ｐＨを測定してｐＨ１１に満たない場合には即座にアルカリ材の供給がなされるように構成されている。ここでアルカリ材としては、水酸化ナトリウムなど公知のアルカリ材を特に制限なく、用いることができる。
第２のガス処理槽６０は、第１吸入口５４が中和処理物貯蔵槽に連結されており、第２吸入口５５が乾燥槽に連結されている点、また乾燥槽からのガスを冷却できるように冷却器（図示せず）が設けられている点を除いて、第１のガス処理槽と同じである。
【００２１】
ついで、本実施形態の処理方法について、図面を参照して説明する。
本発明の処理方法においては、まず、図２に示す攪拌装置を用いて、硫酸ピッチを、水を添加することなく攪拌混合してスラリー状にする。
この際、攪拌速度は、５〜４０ｒｐｍ、更には５〜３０ｒｐｍとするのが、酸性ガスの発生を抑制しつつ十分にスラリー状にする観点から好ましい。
その後、スラリー状の硫酸ピッチをそのまま、水を添加することなく中和処理槽に投入する。投入終了後、中和剤を添加して中和を行う。中和工程は、硫酸ピッチを攪拌・混合しつつ、徐々に上記中和剤を混入することによって行う。ここで「徐々に」とは、処理槽内の温度があまり上昇しないようにという意味であり、具体的には槽内の温度が好ましくは１００℃以下、更に好ましくは８０℃以下、最も好ましくは７０℃以下となるように槽内の温度を確認しつつ所定量の中和剤を分割して投入する。
中和工程で中和反応に伴い発生する酸性ガスを第１のガス処理槽で中和処理する際には、測定部で測定される排気ガスのｐＨが一定の範囲内となるようにアルカリ溶液シャワーの量やｐＨ（通常は１１であるが、場合によっては１１を超えるｐＨに）を適宜調節することができる。第２のガス処理槽でも同様である。
乾燥工程における加熱温度や時間は含有される油分の量によって任意であるが、加熱温度は４００〜５００℃、時間は５〜２０分間とするのが好ましい。
中和工程及び乾燥工程は、それぞれ連続的に行うことが好ましい。
これらの工程を経ることで硫酸ピッチを無害化して、多孔性の粒状物を得ることができる。
本発明は、上述の実施形態になんら制限されるものではなく、本発明の趣旨を逸脱しない範囲で種々変更可能である。
【実施例】
【００２２】
以下、実施例及び比較例により本発明を更に詳細に説明するが、本発明はこれらに制限されるものではない。
〔実施例１〜７〕
図１〜６に示す処理装置を用いて、固形分４０重量％の硫酸ピッチ（保存用のドラム缶の上部部分が固化したもの）を表１に示す条件で処理した。また、乾燥は４５０℃で約10分間行った。
用いたセメント材料は、ポルトランドセメント（日本セメント社製）であり、硫酸ピッチ１００重量部に対する中和剤の添加量は１２０重量部である。
【００２３】
【表１】
2010259965.tif 000003
※  加え方ａ：中和処理槽の温度が８０℃を超えないように徐々に中和剤を加えた。
加え方ｂ：最初に中和剤の全量を添加した。
【００２４】
〔実施例７〕
固形分５重量％の硫酸ピッチを用いた以外は実施例1と同様にして処理を行った。
〔実施例８〕
固形分６０重量％の硫酸ピッチを用いた以外は実施例1と同様にして処理を行った。
〔評価〕
実施例１の処理方法では、酸性ガスの発生量があまり多くなくｐＨ１１のアルカリシャワー（10リットル）で十分に中和処理槽から発生する酸性ガスの処理を行いつつ、中和処理を行うことができ、中性で黒色の無害な粒状物を得ることができた。
実施例２及び４の処理方法では、従来の方法に比べれば少ない酸性ガスの発生量で中和処理はできたが、実施例1に比べると酸性ガスの発生量が多く、ｐＨ１１のアルカリシャワー（10リットル）で十分でなく、２０リットルのアルカリシャワーを用いる必要があった。
実施例３の処理方法では、従来の方法に比べれば少ない酸性ガスの発生量で中和処理はできたが、実施例1に比べると中和処理に時間がかかった。
実施例５及び８の処理方法では、従来の方法に比べれば少ない酸性ガスの発生量で中和処理はできたが、実施例1に比べるとスラリー化が不十分で、中和処理に時間がかかった。
実施例６の処理方法では、従来の方法に比べれば少ない酸性ガスの発生量で中和処理はできたが、実施例1に比べると攪拌工程で酸性ガスが多量に発生し、ｐＨ１１のアルカリシャワー（10リットル）で十分でなく、２０リットルのアルカリシャワーを用いる必要があった。
実施例７の処理方法では、従来の方法に比べれば少ない酸性ガスの発生量で中和処理はできたが、実施例1に比べると酸性ガスの発生量が多く、ｐＨ１１のアルカリシャワー（10リットル）で十分でなく、２０リットルのアルカリシャワーを用いる必要があった。
【産業上の利用可能性】
【００２５】
本発明の処理方法は、有害な廃棄物を効率よく無害化できる他、処理により得られる粒状物は無害で且つ多孔性の粒子であり、舗装材や建築材、セメント材料など各種成型材の原材料として用いることができる。
【符号の説明】
【００２６】
１処理装置；２、３、４、５配管；１０攪拌装置；１１基部；１２架台部分；１３上下動手段；１４攪拌機保持部；１５補強部材；１０ａ攪拌機支持架台；１６攪拌羽根；１７シャフト；１０ｂ攪拌機；２０中和処理槽；２１反応容器；２２投入口；２３排出口；２４中和処理槽ガス吸引口；２６ロータリーバルブ；２７吸引装置；３０中和処理物貯蔵槽；３１頂部；３２基部；３３投入口；３４ガス排出口；４０乾燥槽；４１乾燥容器；４２加熱装置；４３投入口；４４排出口；４５乾燥槽ガス吸引口；４８吸引装置；４９コンデンサー；５０第１のガス処理槽；６０第２のガス処理槽；５１本体；５２固形分排出部；５３排気用ノズル；５４第１吸入口；５５第２吸入口；５６アルカリ溶液シャワー部；５７仕切り板；５８コンベア；５９ポンプ
【図１】
2010259965.tif 000004
【図２】
2010259965.tif 000005
【図３】
2010259965.tif 000006
【図４】
2010259965.tif 000007
【図５】
2010259965.tif 000008
【図６】
2010259965.tif 000009
【手続補正書】
【提出日】平成21年5月27日(2009.5.27)
【手続補正１】
【補正対象書類名】図面
【補正対象項目名】図２
【補正方法】変更
【補正の内容】
【図２】
2010259965.tif 000010
【手続補正２】
【補正対象書類名】図面
【補正対象項目名】図３
【補正方法】変更
【補正の内容】
【図３】
2010259965.tif 000011
【手続補正３】
【補正対象書類名】図面
【補正対象項目名】図４
【補正方法】変更
【補正の内容】
【図４】
2010259965.tif 000012
【手続補正４】
【補正対象書類名】図面
【補正対象項目名】図５
【補正方法】変更
【補正の内容】
【図５】
2010259965.tif 000013
【手続補正５】
【補正対象書類名】図面
【補正対象項目名】図６
【補正方法】変更
【補正の内容】
【図６】
2010259965.tif 000014
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
硫酸ピッチを、水を添加することなく攪拌混合してスラリー状にする攪拌工程、
得られたスラリー状の硫酸ピッチに水を添加することなく中和剤を添加して中和を行う中和工程、及び
中和工程により得られる中和処理物を加熱して乾燥させる乾燥工程
を具備し、
上記乾燥工程で加熱に伴い発生する酸性ガスを中和処理するガス処理工程を具備することを特徴とする硫酸ピッチの処理方法。
【請求項２】
上記攪拌工程において用いられる硫酸ピッチは固形分が１０〜５０重量％であり、該攪拌工程は、硫酸ピッチの収容容器の直径の１／５〜１／２の長さを有する攪拌羽根を用い、攪拌速度を５〜４０ｒｐｍとして行うことを特徴とする請求項1記載の硫酸ピッチの処理方法。
【請求項３】
上記中和剤が、石灰とセメント材料とを、石灰１００重量部に対してセメント材料５０〜８０重量部の配合割合で含んでなることを特徴とする請求項1記載の硫酸ピッチの処理方法。
【請求項４】
上記石灰が生石灰であることを特徴とする請求項３記載の硫酸ピッチの処理方法。
【請求項５】
上記中和工程は、スラリー状の硫酸ピッチを攪拌及び混合しつつ、徐々に上記中和剤を混入することによって行うことを特徴とする請求項1記載の硫酸ピッチの処理方法。
【請求項６】
上記中和工程で中和反応に伴い発生する酸性ガスを中和処理するガス処理工程を具備することを特徴とする請求項１記載の硫酸ピッチの処理方法。
【請求項７】
請求項１記載の硫酸ピッチの処理方法を実施するための硫酸ピッチの処理装置であって、
硫酸ピッチを攪拌する攪拌装置と、
攪拌装置で攪拌及び分散されたスラリー状の硫酸ピッチを中和処理する中和処理槽と、
該中和処理槽で中和処理された中和処理物を加熱して乾燥させる乾燥槽と、を具備し、
上記攪拌装置は、硫酸ピッチの収容容器の直径の１／５〜１／２の長さを有する攪拌羽根を攪拌手段として備え、
上記中和処理槽は、攪拌及び分散されたスラリー状の硫酸ピッチを投入する投入口と、中和処理された中和処理物を排出する排出口と、上面の中央部分に設けられた、中和反応により生じる酸性ガスを吸引して槽内から除去するための中和処理槽ガス吸引口とを有し、
上記乾燥槽は、中和処理物を投入する投入口と、乾燥された乾燥処理物を排出する排出口と、上面の中央部分に設けられた、乾燥処理により発生する酸性ガスを吸引して槽内から除去するための乾燥槽ガス吸引口を有することを特徴とする硫酸ピッチの処理装置。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
硫酸ピッチを、水を添加することなくそのまま攪拌してスラリー状にする攪拌工程、
得られたスラリー状の硫酸ピッチに水を添加することなく中和剤としての生石灰及びセメント材料のみを添加して中和を行う中和工程、及び
中和工程により得られる中和処理物を加熱して乾燥させる乾燥工程
を具備し、
上記攪拌工程において用いられる硫酸ピッチは固形分が１０〜５０重量％であり、該攪拌工程は、硫酸ピッチの収容容器の直径の１／５〜１／２の長さを有する攪拌羽根を用い、攪拌速度を５〜４０ｒｐｍとして行い、
上記生石灰と上記セメント材料との配合割合が、生石灰１００重量部に対してセメント材料５０〜８０重量部である
ことを特徴とする硫酸ピッチの処理方法。
【請求項２】
上記中和工程は、スラリー状の硫酸ピッチを攪拌しつつ、徐々に上記中和剤を混入することによって行うことを特徴とする請求項1記載の硫酸ピッチの処理方法。
【請求項３】
上記中和工程で中和反応に伴い発生する酸性ガスを中和処理するガス処理工程を具備することを特徴とする請求項１記載の硫酸ピッチの処理方法。
【請求項４】
上記乾燥工程で加熱に伴い発生する酸性ガスを中和処理するガス処理工程を具備することを特徴とする請求項１記載の硫酸ピッチの処理方法。
【請求項５】
請求項１記載の硫酸ピッチの処理方法を実施するための硫酸ピッチの処理装置であって、
硫酸ピッチを攪拌する攪拌装置と、
攪拌装置で攪拌されたスラリー状の硫酸ピッチを中和処理する中和処理槽と、
該中和処理槽で中和処理された中和処理物を加熱して乾燥させる乾燥槽と、を具備し、
上記攪拌装置は、硫酸ピッチの収容容器の直径の１／５〜１／２の長さを有する攪拌羽根を攪拌手段として備え、
上記中和処理槽は、攪拌されたスラリー状の硫酸ピッチを投入する投入口と、中和処理された中和処理物を排出する排出口と、上面の中央部分に設けられた、中和反応により生じる酸性ガスを吸引して槽内から除去するための中和処理槽ガス吸引口とを有し、
上記乾燥槽は、中和処理物を投入する投入口と、乾燥された乾燥処理物を排出する排出口と、上面の中央部分に設けられた、乾燥処理により発生する酸性ガスを吸引して槽内から除去するための乾燥槽ガス吸引口を有することを特徴とする硫酸ピッチの処理装置。
【手続補正２】
【補正対象書類名】明細書
【補正対象項目名】００１０
【補正方法】変更
【補正の内容】
【００１０】
上記攪拌工程は、上記攪拌工程は、硫酸ピッチの収容容器の直径の１／５〜１／２の長さを有する攪拌羽根を用い、攪拌速度を５〜４０ｒｐｍとして行うのが好ましく、５〜３０ｒｐｍとして行うのが更に好ましい。これにより、固化した硫酸ピッチも効率よく、中和処理に適したスラリー状にすることができる。
上記中和剤は、生石灰とセメント材料とからなり、生石灰１００重量部に対してセメント材料５０〜８０重量部の配合割合で含んでなるものである。上記範囲外である場合には、中和処理が十分でなくなり、十分な無害化ができなくなる場合がある。
またセメント材料としては、ポルトランドセメント等を用いることができる。
中和剤の使用量は特に制限されるものではないが、硫酸ピッチ１００重量部に対して６０〜３００重量部とするのが好ましく、８０〜１８０重量部とするのが更に好ましい。
上記中和工程は、上記分散物を攪拌しつつ、徐々に上記中和剤を混入することによって行うのが好ましい。これにより、酸性ガスの発生を最低限度に抑制して中和処理を行うことができる。
また、本発明の処理方法は、上記中和工程で中和反応に伴い発生する酸性ガスを中和処理するガス処理工程を具備するのが酸性ガスの排出をなくすことができるので好ましく、上記乾燥工程で加熱に伴い発生する酸性ガスを中和処理するガス処理工程を具備するのが酸性ガスの排出をなくすことができるので好ましい。
また、本発明は、上記の硫酸ピッチの処理方法を実施するための硫酸ピッチの処理装置であって、硫酸ピッチを攪拌する攪拌装置と、攪拌装置で攪拌されたスラリー状の硫酸ピッチを中和処理する中和処理槽と、該中和処理槽で中和処理された中和処理物を加熱して乾燥させる乾燥槽と、を具備し、
上記攪拌装置は、上記攪拌装置は、硫酸ピッチの収容容器の直径の１／５〜１／２の長さを有する攪拌羽根を攪拌手段として備え、
上記中和処理槽は、攪拌されたスラリー状の硫酸ピッチを投入する投入口と、中和処理された中和処理物を排出する排出口と、上面の中央部分に設けられた、中和反応により生じる酸性ガスを吸引して槽内から除去するための中和処理槽ガス吸引口とを有し、
上記乾燥槽は、中和処理物を投入する投入口と、乾燥された乾燥処理物を排出する排出口と、上面の中央部分に設けられた、乾燥処理により発生する酸性ガスを吸引して槽内から除去するための乾燥槽ガス吸引口を有することを特徴とする硫酸ピッチの処理装置を提供するものである。
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
硫酸ピッチを、水を添加することなくそのまま攪拌してスラリー状にする攪拌工程、
得られたスラリー状の硫酸ピッチに水を添加することなく中和剤としての生石灰及びセメント材料のみを添加して中和を行う中和工程、及び
中和工程により得られる中和処理物を加熱して乾燥させる乾燥工程
を具備し、
上記攪拌工程において用いられる硫酸ピッチは固形分が１０〜５０重量％であり、該攪拌工程は、硫酸ピッチの収容容器の直径の１／５〜１／２の長さを有する攪拌羽根を用い、攪拌速度を５〜４０ｒｐｍとして行い、
上記生石灰と上記セメント材料との配合割合が、生石灰１００重量部に対してセメント材料５０〜８０重量部である
ことを特徴とする硫酸ピッチの処理方法。
【請求項２】
上記中和工程は、スラリー状の硫酸ピッチを攪拌しつつ、徐々に上記中和剤を混入することによって行うことを特徴とする請求項1記載の硫酸ピッチの処理方法。
【請求項３】
上記中和工程で中和反応に伴い発生する酸性ガスを中和処理するガス処理工程を具備することを特徴とする請求項１記載の硫酸ピッチの処理方法。
【請求項４】
上記乾燥工程で加熱に伴い発生する酸性ガスを中和処理するガス処理工程を具備することを特徴とする請求項１記載の硫酸ピッチの処理方法。